(57)【特許請求の範囲】
【請求項１】
裏面に粘着層が形成され、表面に黒あるいは所望の色彩が付されている矩形状の基材の表面に、石油系ワックスの粉体と粘ちょう剤と溶剤とを混練してなり、あらかじめ設定された所望の温度で不透明から透明に不可逆的に変化する感温塗料により、設定温度超過の事実を不可逆的に表示する、「○」「△」「□」の各図形のいずれかからなる温度表示部を所望間隔で複数個形成し、これら図形の配列状況から設定温度領域を知る様にしたことを特徴とするマルチ表示タイプの極小感温ラベル。
【発明の詳細な説明】
【技術分野】
【０００１】
この発明はマルチ表示タイプの極小感温ラベル、詳しくは、極く小さい寸法ながら、複数の設定温度についての表示を行うことが出来、しかも設定温度領域が異なる同タイプの感温ラベル同士を容易に識別し得るマルチ表示タイプの極小感温ラベルに関するものである。
【背景技術】
【０００２】
あらかじめ設定された温度で溶解する石油系ワックスや各種化学物質の性質を利用し、設定温度超過の事実を不可逆的に表示する感温ラベルは、感知精度の優秀さ、製造コストの低廉さ、装着の容易さ、などの利点から、最近では送配電施設、鉄道施設、食品製造施設など温度管理を必要とする各種産業分野において多く使用される様になっている。
【特許文献１】なし
【非特許文献１】なし
【発明の開示】
【発明が解決しようとする課題】
【０００３】
感温ラベルには、一枚の感温ラベルで単一の設定温度超過の事実を表示するもののほか、図１に示す様に、複数の設定温度、例えば６０℃、７０℃、８０℃という様に、温度を不可逆的に表示する為、基材１の表面に複数の温度表示部２を形成したマルチ表示タイプの感温ラベルも存在しており、より細かな温度管理の為には、このマルチ表示タイプの方が適していることは言うまでもない。そして、このマルチ表示タイプの感温ラベルの場合は、図１に示す様にそれぞれの温度表示部２の近傍に設定温度、例えば６０℃、７０℃、８０℃などの表示を付し、設定温度が何度であるかを分かる様にしているのが普通である。
【０００４】
一方、感温ラベルには、小型化の要請も強く、可能な限り小さい基材上に異なる設定温度の温度表示部を多く形成することも求められている。
【０００５】
本件出願人は、先に特開２００６−２９９４５において、所望の設定温度で溶解する石油系ワックスの粉体と粘ちょう剤と溶剤とを混練してなり、設定温度で不透明から透明に変化する感温塗料を提案したが、この感温塗料を用いれば、極小基材上に異なる設定温度の温度表示部を複数個形成することが可能であり、今まで不可能であったマルチ表示タイプの感温ラベルの極小化も実現出来るが、従来のマルチ表示タイプの感温ラベルの様に、各温度表示部に設定温度を付記するのであるなら、その表示スペースとの関係から感温ラベルの小型化には自ずと限界があり、特開２００６−２９９４５において提案した感温塗料のすぐれた特性を十分に発揮させることは出来なかった。
【０００６】
更に、例えば、基材上に４５℃から８５℃まで５℃毎に設定温度を異にした温度表示部を合計９個設けた感温ラベルと、基材上に９０℃から１３０℃まで５℃毎に設定温度を異にした温度表示部を同じ配置で合計９個設けた感温ラベルでは、設定温度の数字（文字）による付記がない以上、外観上区別がつきにくく、製造、保管、移動、装着、測定の際に両者が相紛れるおそれがあり、製品管理上好ましくないことは明らかだからである。この為、設定温度毎に温度表示部の図形を変化させて、設定温度領域の異なる感温ラベル同士を区別することも試みたが、この特開２００６−２９９４５において提案されている感温塗料は、反撥力の強い石油系ワックスの粉体を主材料としている為、あまり小さな図形を描こうとすると図形の角の部分が丸くなってしまう為、複雑な図形を描くことは出来ず、図形の変化による設定温度の違いを示す試みはあまり実際的ではなかった。
【０００７】
本発明者は、特開２００６−２９９４５において提案した感温塗料のすぐれた特性を利用しつつ、今まで果たし得なかったマルチ表示タイプの感温ラベルの極小化を実現すべく研究した結果、表示に工夫を凝らすことにより、設定温度領域が異なる感温ラベル同士を容易に識別出来るマルチ表示タイプの極小感温ラベルを開発することに成功し、本発明としてここに提案するものである。
【課題を解決するための手段】
【０００８】
裏面に粘着層が形成され、表面に黒あるいは所望の色彩が付されている矩形状の基材の表面に、石油系ワックスの粉体と粘ちょう剤と溶剤とを混練してなり、あらかじめ設定された所望の温度で不透明から透明に不可逆的に変化する感温塗料により、設定温度超過の事実を不可逆的に表示する、「○」「△」「□」の各図形のいずれかからなる温度表示部を所望間隔で複数個形成してマルチ表示タイプの極小感温ラベルを構成することにより、上記課題を解決した。
【発明の効果】
【０００９】
このマルチ表示タイプの極小感温ラベルは、従来の感温ラベルと同様、温度管理を行おうとする対象物に貼り付けて使用に供するものであり、対象物があらかじめ設定された温度に達すると、その温度に対応する温度表示部が不透明から透明に変化し、それまで見えなかった基材の表面の色彩が見える様になるので、この不可逆的な変化によって設定温度超過の事実を視覚的に知る。一方、この感温ラベルはマルチ表示タイプであり、一枚の基材の上に多数の温度表示部が形成されており、各温度表示部には、その設定温度が何度であるかは数字（文字）では表示されていないが、各温度表示部の設定温度を示した識別表を別に作成しておけば、これと照合することにより、各温度表示部の設定温度を容易かつ誤りなく知ることが出来る。
【００１０】
又、各温度表示部を形成する「○」「△」「□」の各図形の配列を共通ルールのもと、それぞれ変化させることにより、設定温度領域の異なる同形の感温ラベルを正確に区別することが出来るので、マルチ表示タイプの感温ラベルの無理のない極小化が可能となり、すぐれた実用性を持つものである。
【発明を実施するための最良の形態】
【００１１】
温度表示部を「○」「△」「□」の各図形によって形成すると共に、一定のルールに従った配列方法をとることにより、設定温度領域の異なる感温ラベル同士を明瞭に区別出来る様にした点に最大の特徴が存する。
【実施例１】
【００１２】
図２乃至図４はそれぞれ設定温度領域が異なる本発明に係るマルチ表示タイプの極小感温ラベルのそれぞれの拡大平面図である。図中３は紙製の基材であり、各辺が８ｍｍであるが、更に小さくすることも可能であり、８ｍｍに限らないのはもちろんである。又、この基材３の表面には黒色あるいは白色以外の色彩が付されている。なお、この基材３の表面の色彩は白以外ならかまわないが、各設定温度超過の際の表示の変化を視認しやすくする為、黒、青、赤など濃い色が好ましい。
【００１３】
そして、この基材３の表面には、所望の設定温度で溶解する石油系ワックスの粉体と粘ちょう剤と溶剤とを混練してなる感温塗料を塗布してなる温度表示部４が形成されている。なお、この感温塗料は特開２００６−２９９４５において開示されているものと同じである。そして、この温度表示部４は「○」、「△」あるいは「□」のうちどれか一つの図形となっており、後記する様に、これら図形の配置により、各温度表示部４の設定温度を知ることが出来るのである。温度表示部４の形成は、シルクスクリーン印刷や、凸版印刷その他既存の手法により行うことが出来る。
【００１４】
次に、本発明の眼目である温度表示部４の各図形の配列について説明すると、図２に示した感温ラベルは設定温度領域が４５℃から８５℃のものであり、設定温度４５℃から５℃毎に８５℃まで合計９個の温度表示部４が形成されており、右列上段の位置にある設定温度が４５℃の温度表示部４（ａ）には「○」の図形が、そのすぐ下に位置した設定温度が５０℃の温度表示部４（ｂ）には「△」の図形が、右列下段の位置にある設定温度が５５℃の温度表示部４（ｃ）には「△」の図形が、中央列上段の位置にある設定温度が６０℃の温度表示部４（ｄ）には「△」の図形が、そのすぐ下に位置した設定温度が６５℃の温度表示部４（ｅ）には「○」の図形が、中央列下段の位置にある設定温度が７０℃の温度表示部４（ｆ）には「○」の図形が、左列上段の位置にある設定温度が７５℃の温度表示部４（ｇ）には「△」の図形が、そのすぐ下に位置した設定温度が８０℃の温度表示部４（ｈ）には「○」の図形が、左列下段の位置にある設定温度が８５℃の温度表示部４（ｉ）には「□」の図形がそれぞれ表示されている。
【００１５】
一方、図３に示した感温ラベルは設定温度領域が９０℃から１３０℃のものであり、右列上段の位置にある設定温度が９０℃の温度表示部４（ｊ）には「○」の図形が、そのすぐ下に位置した設定温度が９５℃の温度表示部４（ｋ）には「△」の図形が、右列下段の位置にある設定温度が１００℃の温度表示部４（ｌ）には「△」の図形が、中央列上段の位置にある設定温度が１０５℃の温度表示部４（ｍ）には「○」の図形が、そのすぐ下に位置した設定温度が１１０℃の温度表示部４（ｎ）には「○」の図形が、中央列下段の位置にある設定温度が１１５℃の温度表示部４（ｏ）には「○」の図形が、左列上段の位置にある設定温度が１２０℃の温度表示部４（ｐ）には「△」の図形が、そのすぐ下に位置した設定温度が１２５℃の温度表示部４（ｑ）には「△」の図形が、左列下段の位置にある設定温度が１３０℃の温度表示部４（ｒ）には「□」の図形がそれぞれ表示されている。
【００１６】
更に、図４に示した感温ラベルは設定温度領域が１３５℃から１７５℃のものであり、
右列上段の位置にある設定温度が１３５℃の温度表示部４（ｓ）には「○」の図形が、そのすぐ下に位置した設定温度が１４０℃の温度表示部４（ｔ）には「△」の図形が、右列下段の位置にある設定温度が１４５℃の温度表示部４（ｕ）には「△」の図形が、中央列上段の位置にある設定温度が１５０℃の温度表示部４（ｖ）には「△」の図形が、そのすぐ下に位置した設定温度が１５５℃の温度表示部４（ｗ）には「○」の図形が、中央列下段の位置にある設定温度が１６０℃の温度表示部４（ｘ）には「○」の図形が、左列上段の位置にある設定温度が１６５℃の温度表示部４（ｙ）には「△」の図形が、そのすぐ下に位置した設定温度が１７０℃の温度表示部４（ｚ）には「○」の図形が、左列下段の位置にある設定温度が１７５℃の温度表示部４（α）には「□」の図形がそれぞれ表示されている。
【００１７】
これら図２乃至図３に示す感温ラベルにおける表示の共通点は、右側上段に位置した最低設定温度がいずれも「○」の、左側下段に位置した最高設定温度がいずれも「□」の図形でそれぞれ表示されていること、及び中央列２段目及び下段左側中段にいずれも「○」の図形が表示されていることである。つまり、これら図２乃至図３に示す感温ラベルにおいては、上記共通点以外の４個の「△」図形の向きの違いのみにより、これら感温ラベルがそれぞれ異なる設定温度領域のものであることを区別している。
【００１８】
ちなみに、この発明において温度表示部４の形成の為に用いている感温塗料は、反撥力が強い石油系ワックスの粉体を含んでいるので、これによって図形を形成するとき、図形の角の部分が崩れやすく、「○」や「□」は問題ないとしても、角が鋭角から構成されている「△」の形成には細心の注意が必要であるので、この「△」図形の使用はなるべく少なくすることが望ましく、本発明においては上述の通り、「△」図形の使用は４個で足りている。
【００１９】
なお、各図形の配置は、図２乃至図３に示すものに限らないことはもちろんであるが、設定温度領域が異なる各感温ラベルにおいて、最低設定温度から最高設定温度までの各温度表示部４の配列順序を一致させることと共に、最低設定温度を示す温度表示部４を同じ図形で、最高設定温度を示す温度表示部４を他の同じ図形で、それぞれ表示することが必要である。
【００２０】
このマルチ表示タイプの極小感温ラベルは、従来の感温ラベルと同様、温度管理を行おうとする対象物に貼り付けて使用に供するものであり、対象物があらかじめ設定された温度に達すると、図６に示す様に、その温度に対応する温度表示部が不透明から透明に変化し、それまで見えなかった基材３のその部分の表面の色彩が見える様になるので、この不可逆的な変化によって設定温度超過の事実を視覚的に知ることになる。なお、この図６に示す例においては、４５℃を示す温度表示部４と５０℃を示す温度表示部４が共に消えているので、この感温ラベルを貼付した対象物の温度は５０℃に達していたことが明らかである。
【００２１】
一方、この感温ラベルはマルチ表示タイプであり、一枚の基材３の上に多数の温度表示部４が形成されており、各温度表示部４にはその設定温度が何度であるかは数字（文字）では表示されていないが、図５に示す様に、各温度表示部４の設定温度を示した識別表５を別に作成しておけば、これと照合することにより、各温度表示部４の設定温度を容易かつ誤りなく知ることが出来る。
【００２２】
又、上述のルールに従って、「○」「□」「△」の各図形を用いて温度表示部４を形成すれば、形成が比較的むずかしい「△」図形の使用を必要最小限とすることが出来、効率よく極小感温ラベルを製造することが出来る。
【００２３】
以上述べた通り、各温度表示部４を形成する「○」「□」「△」の各図形の配列を共通のルールのもと、それぞれ変化させることにより、設定温度領域の異なる同形の感温ラベルを正確に区別することが可能で、マルチ表示タイプの感温ラベルの無理のない極小化を図ることが出来る効果を有し、すぐれた実用性を持つものである。
【産業上の利用可能性】
【００２４】
発電送電施設、鉄道施設、各種工場、商品流通業界など温度管理を必要とするあらゆる産業分野において利用可能である。
【図面の簡単な説明】
【００２５】
【図１】従来のマルチ表示タイプの感温ラベルの代表例の斜視図。
【図２】この発明に係るマルチ表示タイプの感温ラベルの一実施例の拡大平面図。
【図３】同じく、図２に示した感温ラベルとは異なった設定温度領域を持った感温ラベルの拡大平面図。
【図４】同じく、図２及び図３に示した感温ラベルとは異なった設定温度領域を持った感温ラベルの拡大平面図。
【図５】図２、図３、図４にそれぞれ示した感温ラベルの設定温度領域を知る為に用いる識別表の平面図。
【図６】図２に示した感温ラベルが温度感知した状況を示した拡大平面図。
【符号の説明】
【００２６】
１    基材
２    温度表示部
３    基材
４    温度表示部
５    識別表
【図１】
0004966142.tif 000002
【図２】
0004966142.tif 000003
【図３】
0004966142.tif 000004
【図４】
0004966142.tif 000005
【図５】
0004966142.tif 000006
【図６】
0004966142.tif 000007